(57)【特許請求の範囲】
【請求項１】
ディスクドライブ本体（５）を内部に収容するハードディスクドライブの収容ケースであって、
収容ケースは、下面が開口するプラスチック製の上ケース（２）と、上ケース（２）の開口下面を塞ぐプラスチック製の平板状の下ケース（３）とからなり、
ディスクドライブ本体（５）は、磁気ディスクおよび磁気ヘッドがディスクケース（４）内に収容されていて、下ケース（３）の内側上面にビス止めされた状態で、上ケース（２）内に納められており、
ディスクドライブ本体（５）は、一切の衝撃吸収材を介在させることなく、収容ケースの内部に収容されており、
上ケース（２）内の下端に、下ケース（３）がディスクドライブ本体（５）ごと下方へ抜け外れないよう嵌め殺し状態で係合されており、
かかる係合状態において、下ケース（３）が、上ケース（２）に対して若干ずれ動いて衝撃を緩和する状態で、上下ケース（２・３）が一体化されており、
下ケース（３）の線膨張係数をディスクケース（４）の線膨張係数に近づけるために、下ケース（３）の成形樹脂に無機フィラーが混入されていることを特徴とするハードディスクドライブの収容ケース。
【請求項２】
上ケース（２）は、四角板状の上壁（７）と、上壁（７）の左右および前後の周縁から下向きに連設した左右側壁（９）・（９）および前後側壁（１０）・（１１）とを含んでいて、開放された下面に下ケース（３）が嵌まり込んでおり、
上ケース（２）の後側壁（１１）の内面下端部には、下ケース（３）の後端を下方への抜け止めを図って係止する抜止部（１９）が設けられており、
下ケース（３）は、四角板状の下壁（２６）と、下壁（２６）の四隅にそれぞれ設けたビス孔（２７）と、下壁（２６）の左右端縁から上向きにそれぞれ連設した連結部（２９）・（２９）とを含み、
各ビス孔（２７）に通したビス（４１）でディスクドライブ本体（５）が下ケース（３）に固定されており、
各連結部（２９）は、下壁（２６）の左右端縁に立設されたベース板（３３）と、ベース板（３３）の上端において外方へ突出状に設けた係止部（３５）とを含み、
上ケース（２）の左右側壁（９）・（９）の内面には、下ケース（３）の各連結部（２９）の係止部（３５）がそれぞれ嵌係止する係合凹部（２１）・（２１）が設けられており、
下ケース（３）を上ケース（２）の開口下面に嵌め込むことにより、下ケース（３）の下壁（２６）を抜止部（１９）に係止し、かつ下ケース（３）の各連結部（２９）を上ケース（２）の各係合凹部（２１）にそれぞれ嵌係止して、上ケース（２）の周側壁の下端で下ケース（３）の外周縁が囲まれた状態で上下ケース（２）・（３）が一体化されている請求項１記載のハードディスクドライブの収容ケース。
【発明の詳細な説明】
【技術分野】
【０００１】
本発明は、ＡＶ機器やコンピュータなどの機器に着脱自在に装着されるハードディスクドライブの収容ケースに関する。
【背景技術】
【０００２】
特許文献１・２には、機器から取り外して持ち運び可能にしたリムーバブル・ハードディスクドライブが開示されている。かかるハードディスクドライブの内部には、精密部品である磁気ヘッドやその駆動機構などを配してあり、携行に際して誤って落下させると比較的簡単に壊れてしまう。このため、特許文献１・２では、ハードディスクドライブをこれ専用の収容ケース内に収容してある。とくに特許文献１では衝撃緩和のためにハードディスクドライブを衝撃吸収材を介して収容ケース内に保持している。
【０００３】
【特許文献１】特開２００３−２７２３６７号公報（段落番号００１０、図１）
【特許文献２】特開２００１−２９１３８０号公報（段落番号００２７、図５）
【発明の開示】
【発明が解決しようとする課題】
【０００４】
前出の収容ケースは、携行性の点から小型軽量化が望まれる。この点、特許文献１では、収容ケースの内部に衝撃吸収材を配した分だけ嵩張ってしまう。特許文献２では、ディスクドライブ本体が収容ケースに固定されておらず収容ケース内でがたつくおそれがある。
【０００５】
加えて、収容ケースの形成素材には優れた耐熱性が求められる。例えば夏季において自動車を屋外に駐車しておくと、車内温度は８０℃近くまで上昇することがあり、収容ケースには耐熱性が求められる。そこで本発明者等は、耐熱性および耐衝撃性を兼ね備えたポリカーボネートで収容ケースを製作し、当該ケースに対して耐熱試験を行った。その結果、８５℃の高温環境下においても収容ケース単品では全く変形はみられず、当該ケースが優れた耐熱性を備えていることが確認できた。
【０００６】
しかし、収容ケース内にディスクドライブ本体を組み付けたうえで、同様の耐熱試験を行うと、収容ケースに変形が生じるという不可解な結果となった。かかる変形は、とくにディスクドライブ本体がビス止め固定された下ケースにおいて顕著であった。また、かかる変形は７５℃程度の温度条件化では殆ど見られないが、８０℃を超えると顕著となった。
【０００７】
収容ケースに前述の変形が生じると、ＡＶ機器等に対するハードディスクドライブ自体の装填動作ができなくなるおそれがある。コネクタ（６：図１参照）まわりの収容ケースが変形すると、当該コネクタのＡＶ機器側のコネクタとの接続状態が不良となり、データの記録再生ミスが生じる不利もある。最悪の場合には、ディスクドライブ本体の破損や、ＡＶ機器の故障などの事故を招く。
【０００８】
本発明の目的は、ディスクドライブ本体を確りと固定できながら、小型軽量化と衝撃緩和とが図れ、しかもディスクドライブ本体を組み付けた状態においても変形することのない新規なハードディスクドライブ用収容ケースを提供することにある。
【課題を解決するための手段】
【０００９】
本発明は、図１に示すごとく、ディスクドライブ本体５を内部に収容するハードディスクドライブの収容ケースである。この収容ケース１は下面が開口するプラスチック製の上ケース２と、上ケース２の開口下面を塞ぐプラスチック製の平板状の下ケース３とからなる。ディスクドライブ本体５は、磁気ディスクおよび磁気ヘッドがディスクケース４内に収容されていて、図３および図４に示すごとく、ディスクドライブ本体５は、下ケース３の内側上面にビス止め固定された状態で、上ケース２内に納められている。ディスクドライブ本体５は、一切の衝撃吸収材を介在させることなく、収容ケースの内部に収容されている。上ケース２内の下端には、下ケース３がディスクドライブ本体５ごと下方へ抜け外れないよう嵌め殺し状態で係合されている。かかる係合状態において、下ケース３が、上ケース２に対して若干ずれ動いて衝撃を緩和する状態で、上下ケース２・３が一体化されている。そして、下ケース３の線膨張係数をディスクケース４の線膨張係数に近づけるために、下ケース３の成形樹脂に無機フィラーが混入されていることを特徴とする。
【００１０】
本発明において使用できる成形樹脂の具体例としては、ポリカーボネート（ＰＣ）のほか、ポリカーボネート＋アクリロニトリルブタジエン（ＰＣ／ＡＢＳアロイ）、変性ポリフェニレンオキサイド（変性ＰＰО）、変性ポリフェニレンエーテル（変性ＰＰＥ）、液晶ポリマー（ＬＣＰ）、シクロオレフィンポリマー（ＣОＰ）、ポリブチレンテレフタレート（ＰＢＴ）、ポリアミドＭＸＤ６（ＰＡＭＸＤ６）、ポリアミド６６（ＰＡ６６）などを挙げることができる。無機フィラーとしては、ガラスファイバーやカーボンファイバーのほか、ガラスビーズなどを挙げることができる。無機フィラーの混合割合は、成形樹脂１００重量％に対して、１０〜４０％程度であり、当該数値は、ディスクケース４の形成素材に対応して適宜変更できる。
【００１１】
具体的には、図１に示すごとく、上ケース２は、四角板状の上壁７と、上壁７の左右および前後の周縁から下向きに連設した左右側壁９・９および前後側壁１０・１１とを含んでいて、開放された下面に下ケース３が嵌まり込むようになっている。上ケース２の後側壁１１の内面において下端部には、下ケース３の後端を下方への抜け止めを図って係止する抜止部１９が設けられている。下ケース３は、四角板状の下壁２６と、下壁２６の四隅にそれぞれ設けたビス孔２７と、下壁２６の左右端縁から上向きにそれぞれ連設した連結部２９・２９とを含み、各ビス孔２７にそれぞれ通したビス４１でディスクドライブ本体５が下ケース３に固定されている。各連結部２９は、下壁２６の左右端縁に立設されたベース板３３と、ベース板３３の上端において外方へ突出状に設けた係止部３５とを含み、上ケース２の左右側壁９・９の内面には、下ケース３の各連結部２９の係止部３５がそれぞれ嵌係止する係合凹部２１・２１が設けられている。下ケース３を上ケース２の開口下面に嵌め込むことにより、下ケース３の下壁２６を抜止部１９に係止し、かつ下ケース３の各連結部２９を上ケース２の各係合凹部２１にそれぞれ嵌係止して、上ケース２の周側壁の下端で下ケース３の外周縁が囲まれた状態で上下ケース２・３が一体化されている。ビス４１には、鋲なども含まれる。
【発明の効果】
【００１２】
ディスクドライブ本体５のディスクケース４は、ステンレス鋼やアルミニウムなどの各種金属からなる。このため、プラスチック製の下ケース３と金属製のディスクケース４とが不離一体的に固定された本発明のようなケース形態においては、両者３・４の線膨張係数の差から下ケース３に膨張差と応力が残留することが避けられず、周囲温度の変化により下ケース３に歪や変形が生じやすい。
【００１３】
この点、本発明では、下ケース３の成形樹脂に無機フィラーを混入してあるので、下ケース３の線膨張係数の低減化を図り、当該係数をディスクケース４に近づけることができる。これにより、両ケース３・４の線熱膨張係数の差に起因する下ケース３の変形を確実に解消し、ＡＶ機器に対する装填不良問題や連結不良問題、さらにはディスクドライブ本体の破損問題などを一掃できる。
【００１４】
更に、上ケース２の周側壁の下端で下ケース３の外周縁が囲まれているので、収容ケース１を誤って落下させても、ディスクドライブ本体５を固定した下ケース３が床などに直接当たり難い。しかも、下ケース３の後端を上ケース２の抜止部１９で係止し、下ケース３の各連結部２９を上ケース２の各係合凹部２１にそれぞれ嵌係止してあるだけであり、上ケース２に対して下ケース３がビス止めなどで一体的に固定されていないため、落下などの際には上ケース２に対して下ケース３が若干ずれ動いて衝撃を緩和することができる。したがって、ディスクドライブ本体５を下ケース３に確りと抜け止め状に係合してありながら、適正な耐衝撃性が得られ、また衝撃緩和のために衝撃吸収材を用いなくても済む分だけ収容ケース１の小型軽量化が図れる。
【発明を実施するための最良の形態】
【００１５】
図１ないし図４は本発明が対象とするハードディスクドライブの収容ケースを示す。図２において収容ケース１は、上下ケース２・３を係合した四角形状のプラスチック成形品であり、四角形状のディスクドライブ本体５を内部に納めている。収容ケース１の内部空間は、ディスクドライブ本体５よりも一回り大きい。ディスクドライブ本体５は、ディスクケース４の内部に磁気ディスク、磁気ヘッドおよび磁気ヘッドの駆動機構などを備えており、前面にコネクタ６が配されている。ここでのディスクケース４はアルミニウム製とした。
【００１６】
上ケース２は、図１に示すごとく、四角板状の上壁７と、上壁７の左右および前後の周縁から下向きに連設した左右側壁９・９および前後側壁１０・１１とを含み、下面が開放されている。下ケース３は、四角平板状になっており、上ケース２の開口下面に嵌まり込むことで、上ケース２の左右側壁９・９および後側壁１１の下端で下ケース３の左右および後ろ側の外周縁がスッポリと囲まれる。
【００１７】
上ケース２の前側壁１０には、ディスクドライブ本体５のコネクタ６をケース外に臨ませるための開口部１２を有する。上ケース２において開口部１２の下端は開放状態になっており、下ケース３の前端で前記開口部１２の下縁が形成される。上ケース２の左右側壁９・９の外面には、前端が開放状態で前後方向に延びる機器装填用のガイド溝１３と、位置決め用の凹み１５・１６・１７とがそれぞれ設けられている。
【００１８】
上ケース２の後側壁１１の内面において下端部には、図１および図３に示すごとく、左右横長の線状突起（抜止部）１９と、後側壁１１の左右両端寄りにそれぞれ突条で形成された左右一対の規制突起２０・２０とが一体に形成されている。線状突起１９は、下ケース３の後端を下方への抜け止めを図って係止し、規制突起２０・２０は、下ケース３の上方への移動を規制する。
【００１９】
上ケース２の左右側壁９・９の内面には、図１および図４に示すごとく、前後方向の上端前側寄りに左右一対の係合凹部２１・２１が凹み形成されている。各係合凹部２１には、下ケース３の各連結部２９がそれぞれ嵌係止される。上ケース２の左右側壁９・９および前後側壁１０・１１の内面には、それぞれ上下方向に延びる補強リブ２２が配されている。これらの補強リブ２２によっても下ケース３の上方への移動が規制される。
【００２０】
上ケース２の上壁７の内面には、左右両端部であって係合凹部２１よりわずかに後ろ寄りに左右一対の補強用突起２３・２３が突設されている。各補強用突起２３は、下ケース３の連結部２９の内面に近接して対峙しており、連結部２９がケース内方側に湾曲するのを規制して連結部２９を補強する。上ケース２の上壁７の下面であって、ディスクドライブ本体５のコネクタ６の左右および後ろ側には、防塵用の遮蔽板２５が突設されている。
【００２１】
下ケース３は、四角板状の下壁２６と、下壁２６の四隅近傍にそれぞれ設けたビス孔２７と、下壁２６の左右端縁の前側寄り位置に上向きにそれぞれ連設した前記連結部２９・２９と、下壁２６の前端部の左右位置に上向きにそれぞれ連設した左右一対の補強板３０・３０と、図３に示すごとく下壁２６の後端の下面側に凹み形成した嵌合凹部３１とを含んでいる。嵌合凹部３１に上ケース２の線状突起１９が嵌合する。この嵌合状態で上ケース２の下端面と下ケース３の下面とが実質的に面一状になる。
【００２２】
先の各補強板３０は、上ケース２の開口部１２の左右に位置するよう下ケース３の下壁２６の前端部から上向きに突設して、上ケース２の前側壁１０の内面に近接して対峙する。各補強板３０によって前側壁１０がケース内方側に湾曲するのを規制して前側壁１０を補強する。各補強板３０には、前側壁１０のリブ２２との干渉を防ぐために、図１に示すごとく上下縦長の切り欠き３０ａが形成されている。
【００２３】
下ケース３の下壁２６の内面であってビス孔２７の周縁部２７ａは、下壁２６の平坦上面よりもわずかに盛り上がっており、ディスクドライブ本体５の平坦下面が下ケース３の下壁２６の平坦上面から確実に浮き上がるようにしてある。下ケース３の平坦上面の左右および後ろ側の外周縁には、その外周縁に沿って補強用の枠体３２が突条に形成されている。
【００２４】
各連結部２９は、図１および図４に示すごとく、下壁２６の左右端縁に立設されて前後方向に長いベース板３３と、ベース板３３の上端において外方へ突出状に設けた係止部３５とを含んでいる。係止部３５は、下向きの係止面３６を有しており、この係止面３６が上ケース２の係合凹部２１の上向きの抜け止め面３７に係止されることで（図４の状態）、下ケース３の下方への抜け止めが図られる。
【００２５】
各連結部２９の前端側は、上端部が切り欠かれており、上ケース２の位置決め用凹み１５の内壁３９との干渉を防いでいる。ベース板３３の内面側には、上下に延びる補強リブ４０が配されている。係止部３５の外面は、図４に示すごとく上端ほど細くなる楔状に傾斜している。
【００２６】
下ケース３の各ビス孔２７の周縁部２７ａ上にディスクドライブ本体５の下面隅部を載せ、下ケース３の各ビス孔２７にビス４１をそれぞれ通してディスクケース４側のねじ下穴にねじ込むことにより、下ケース３の内側上面にディスクドライブ本体５を固定する。この状態で、下ケース３の下壁２６の嵌合凹部３１に上ケース２の線状突起１９を嵌係止させつつ（図３参照）、下ケース３を上ケース２の下面に嵌め込むことにより、下ケース３の各連結部２９の係止部３５が上ケース２の各係合凹部２１にそれぞれ嵌まり込んで係止する（図４の状態）。これにより、上ケース２内の下端に、下ケース３がディスクドライブ本体５ごと下方への抜け止めを図って嵌め殺し状態で係合される。
【００２７】
因みに、上ケース２の左右側壁９・９の前後中央付近をやや外方に湾曲させることで、下ケース３の各連結部２９の係止部３３が上ケース２の各係合凹部２１からそれぞれ外れ、これによって上ケース２と下ケース３とを無理抜き状に分離することができる。
【００２８】
上ケース２の周側壁である左右側壁９・９および後側壁１１の下端で下ケース３の外周縁が囲まれた状態で、上下ケース２・３が一体化されているので、収容ケース１を誤って落下させても、ディスクドライブ本体５を固定した下ケース３が床などに直接当たり難い。しかも、ディスクドライブ本体５は、収容ケース１に対してビス４１およびビス孔２７の周縁部２７ａのみで接触しており、また落下などの際には上ケース２に対して下ケース３が若干ずれ動いて衝撃を緩和することができる。したがって、前記収容ケース１を落下したときでも、その際の衝撃が緩和された状態で下ケース３を介してディスクドライブ本体５に伝達される。
【００２９】
以上のように、本実施形態に係る収容ケース１によれば、上ケース２の周側壁の下端で下ケース３の外周縁が囲まれているので、収容ケース１を誤って落下させても、ディスクドライブ本体５を固定した下ケース３が床などに直接当たり難い。しかも、下ケース３の後端を上ケース２の抜止部１９で係止し、下ケース３の各連結部２９を上ケース２の各係合凹部２１にそれぞれ嵌係止してあるだけであり、上ケース２に対して下ケース３がビス止めなどで一体的に固定されていないため、落下などの際には上ケース２に対して下ケース３が若干ずれ動いて衝撃を緩和することができる。したがって、ディスクドライブ本体５を下ケース３に確りと抜け止め状に係合してありながら、適正な耐衝撃性が得られ、また衝撃緩和のために衝撃吸収材を用いなくても済む分だけ収容ケース１の小型軽量化が図れる。
【００３０】
下ケース３の連結部２９を補強するために、上ケース２の上壁７の内面に、下ケース３の連結部２９のベース板３３の内面に近接して対峙する補強用突起２３を設けたので、補強用突起２３の根元側で、連結部２９の先端側のケース内方側への揺動を確りと抑えることができ、収容ケース１を落下したときなどの衝撃で、連結部２９が係合凹部２１から外れたり、連結部２９が破損したりすることをよく防止できる。
【００３１】
上ケース２の前側壁１０に、ディスクドライブ本体５の前面に配したコネクタ６をケース外に臨ませるための開口部１２を設け、上ケース２の前側壁１０を補強するために、下ケース３の下壁２６の内面の前端部には、上ケース２の開口部１２の左右で前側壁１０の内面に近接して対峙する補強板３０・３０を上向きに突設したので、補強板３０・３０の根元側で、前側壁１０の先端側のケース内方側への揺動を確りと抑えることができ、収容ケース１を機器に装着して、ディスクドライブ本体５のコネクタ６を機器に接続する際などに前側壁１０が破損することをよく防止できる。
【００３２】
ディスクドライブ本体５と下ケース３の下壁２６との間に衝撃緩和用の隙間を形成するために、下ケース３の下壁２６の上面において、ビス孔２７の周縁部２７ａを盛り上げて形成したので、ディスクドライブ本体５と下ケース３の下壁２６との間に衝撃緩和用の隙間を形成することができ、これによっても耐衝撃性が向上する。
【００３３】
上下ケース２・３の成形素材は、ポリカーボネート（成形樹脂）に無機フィラー（ガラスファイバー）を混入してなるものである。ここではガラスファイバーの混合比率は、ポリカーボネート１００重量に対して、１５重量％とした。かかる下ケース３の特性を表１に示す。なお表１に、比較例として、無機フィラーを一切含まないポリカーボネートで形成された下ケースの特性を示す。
【００３４】
【表１】
0004684037.tif 000002
【００３５】
表１より、成形樹脂であるポリカーボネートにガラスファイバーを添加することにより、線膨張係数の低減化を図り、当該数値を金属のそれに近づけることができることがわかる。これにて、両ケース３・４の線熱膨張係数の差に起因する下ケース３の変形を解消し、ハードディスクドライブのＡＶ機器等への装填・連結不良や、記録・再生不良の問題を一掃することができた。
【００３６】
上記実施形態では、上下のケース２・３を無機フィラーが混入された成形樹脂で形成していたが、下ケース３のみを無機フィラー入りの成形樹脂で形成してもよい。
【００３７】
（実施例）
以下の表２に、成形樹脂（ポリカーボネート）に対する各種無機フィラーの混合割合と、当該無機フィラーが混合された成形樹脂により形成された下ケースの線膨張係数の値を示す。
【００３８】
【表２】
0004684037.tif 000003
【００３９】
上記実施例１ないし５より、無機フィラーが混合された成形樹脂で下ケースを形成することにより、該下ケースの線膨張係数を、アルミ合金などの金属の線膨張係数（2.５〜3.１×１０-5／Ｋ）に近づけることができることが確認できた。
【図面の簡単な説明】
【００４０】
【図１】収容ケースの分解斜視図
【図２】収容ケースの斜視図
【図３】図２のＡ−Ａ線断面図
【図４】図３のＢ−Ｂ線断面図
【符号の説明】
【００４１】
１  収容ケース
２  上ケース
３  下ケース
４  ディスクケース
５  ディスクドライブ本体
６  コネクタ
７  上ケースの上壁
９  上ケースの左右側壁
１０  上ケースの前側壁
１１  上ケースの後側壁
１９  線状突起
２０  規制突起
２７  ビス孔
２９  連結部
３０  ベース板
３１  嵌合凹部
３５  係止部
４１  ビス
【図１】
0004684037.tif 000004
【図２】
0004684037.tif 000005
【図３】
0004684037.tif 000006
【図４】
0004684037.tif 000007